(57)【特許請求の範囲】
【請求項１】
少なくとも第１基本歯ピッチ（１６）と第２基本歯ピッチ（１８）と少なくとも２種の歯形とを有する歯列（１４）を備えた、金属用の鋸刃であって、少なくとも１種の歯が屋根形歯（２０）又は瘤形歯として、かつ少なくとも１種の歯が標準歯（２２）として構成されており、前記屋根形歯（２０）が互いに異なる逃げ角を有する互いに鈍角を成す２つの歯背部を備えており、常に２つの歯（２０，２２）が１単位として、目振りによって切削運動方向（２４）に対して横方向に偏位されている形式のものにおいて、
順次に続く３つの基本歯ピッチ（１６，１８）を有する少なくとも１つの部分領域内で、第１基本歯ピッチ（１６）と第２基本歯ピッチ（１８）が絶えず交互に直接相前後して配置されており、切削運動方向（２４）とは逆方向に見て屋根形歯（２０）又は瘤形歯が各単位毎に、標準歯（２２）の手前に配置されていることを特徴とする、金属用の鋸刃。
【請求項２】
切削運動方向（２４）とは逆方向で見て、第１基本歯ピッチ（１６）と比較して大きい方の第２基本歯ピッチ（１８）の後方に１つの屋根形歯（２０）又は瘤形歯が配置されており、かつ第２基本歯ピッチ（１８）と比較して小さい方の第１基本歯ピッチ（１６）の後方に１つの標準歯（２２）が配置されている、請求項１記載の鋸刃。
【請求項３】
逆向きの方向に変位された２つの単位の後方に、変位されない１単位が続く、請求項１記載の鋸刃。
【請求項４】
第１基本歯ピッチ（１６）と第２基本歯ピッチ（１８）の平均値が、標準歯ピッチにほぼ等しい、請求項１から３までのいずれか１項記載の鋸刃。
【請求項５】
前記単位の２つの歯が、それぞれ同方向に偏位されている、請求項１記載の鋸歯。
【請求項６】
２つの歯から成る前記単位が周期的に目振りによって切削運動方向に対して横方向に偏位されており、この場合、互いに逆向きに偏位された２つの単位の後方には、偏位されない１つの単位が続く、請求項１記載の鋸歯。
【発明の詳細な説明】
【０００１】
技術分野：
本発明は、請求項１に発明の上位概念として規定したように、少なくとも第１基本歯ピッチと第２基本歯ピッチとを有する歯列を備えた、特に金属用の鋸刃に関する。
【０００２】
背景技術：
種々異なった材料を鋸断加工できるようにするために、例えば一定の歯ピッチ及び／又はバリオ（Vario）歯列などのような、適用分野に関連した歯列を有する種々の鋸刃が公知である。バリオ歯列は種々の歯ピッチを有している。
【０００３】
刊行物：ドイツ連邦共和国特許出願公開第１９５ ０１ ０１９号明細書には、一定の歯ピッチと、種々の歯形を有する歯とを備えた鋸刃が開示されている。標準歯、瘤形（Buckel）歯及び屋根形（Dach）歯が記載されている。強度に丸められた歯背部を有する瘤形歯又は屋根形歯は支持歯として使用される。これに対して直線的な歯背部を有する標準歯又は、小さな勾配をもった歯背部を有する瘤形歯は、アグレッシブに切削する歯として使用される。
【０００４】
歯形を交互に変換配置する場合、アグレッシブに切削する歯は、瘤形歯又は屋根形歯によって支持され、かつ、アグレッシブに切削する歯が強度の負荷によって折損するのを防止することが可能になる。
【０００５】
交互に変換する歯形は、鋸刃の波形化によって又は鋸刃に対して横方向の目振りによって偏位させることができる。波形化又は目振りによって、鋸刃の厚みよりも大きな切削幅が生じる。鋸刃の振れ及びロッキングは回避され、かつ切削挙動も改善される。
【０００６】
発明の開示：
本発明は、少なくとも第１基本歯ピッチと第２基本歯ピッチとを有する歯列を備えた、特に金属用の鋸刃を出発点とする。
【０００７】
本発明の提案は、順次に続く３つの基本歯ピッチを有する少なくとも１つの部分領域内で、第１基本歯ピッチと第２基本歯ピッチが（しかも大きい方の基本歯ピッチと小さい方の基本歯ピッチが）、絶えず交互に直接相前後して配置されている点にある。この構成により、アグレッシブに切削する歯のための有利な支持作用、鋸断運動中の高い削り作用及び特に有利な切屑導出が、大きい方の基本歯ピッチによって得られる。また鋸歯の折損も防止され、かつ高い耐用寿命が得られる。
【０００８】
本発明の更なる提案によれば、歯列は少なくとも２種の歯形を有し、特にアグレッシブな切削作用を有する歯形と、支持作用を有する歯形とを有しており、その場合アグレッシブな切削作用を有する歯は標準歯によって、また支持作用を有する歯は屋根形歯又は瘤形歯によって形成されているのが有利である。これによって支持作用は、１種の歯形しか有しない歯列に対比して、支持歯でもって、アグレッシブな切削歯を支持することによって、著しく改善される。強い負荷を受ける場合、支持歯が大きな応力を吸収し、かつ、アグレッシブな切削歯の折損を防止することが可能になる。切削運動方向とは逆方向で見て、大きい方の基本歯ピッチの後方に１つの屋根形歯又は瘤形歯が配置されており、かつ小さい方の基本歯ピッチの後方に１つの標準歯が配置されている場合には特に、有利な支持作用が生じる。
【０００９】
基本歯ピッチが２種で、かつ歯形が２種の場合には、２つの歯が１単位と見做されて、波形化及び／又は目振りによって切削運動方向に対して横方向に偏位されるのが有利である。波形化又は目振りによって、鋸刃の肉厚よりも大きな切削幅が生じる。鋸刃の斜傾及びロッキングが防止され、かつ鋸断挙動を改善することが可能である。更にまた、切削運動方向とは逆方向に見て屋根形歯又は瘤形歯を各単位毎に、標準歯の手前に常に支持作用をもって配置することが特に簡単に得られる。逆向きの方向に変位された２つの単位の後方に、変位されない１単位が続くように構成すれば、特に有利な鋸断挙動及び案内挙動が得られることが判った。
【００１０】
歯列は、当業者に有利と見做される別の変化態様で、目振り又は波形化することもできる。例えば専ら屋根形歯又は瘤形歯だけを、切削運動方向に対して横方向で左と右に波形化及び／又は目振りすることによって偏位させ、かつ標準歯は偏位させずに鋸刃上に真直ぐに配置することも可能である。
【００１１】
更に本発明の提案によれば、第１基本歯ピッチと第２基本歯ピッチの平均値は、標準歯ピッチにほぼ等しい。本発明による鋸刃の鋸断工率及び耐用寿命は、標準鋸刃と特に簡単に比較することができる。標準歯ピッチの±１０％〜±３０％の偏差を有する基本歯ピッチが特に有利である。例えば第１基本歯ピッチが、慣用の標準歯ピッチを起点として１０％高い場合には、第２基本歯ピッチは１０％低くされる。基本歯ピッチは、種々異なった偏差百分率でもって構成することもできる。
【００１２】
鋸刃の基本歯ピッチが、切削運動の方向に累進的に漸増する第１及び第２基本歯ピッチを有するように構成される場合には、種々異なった材料肉厚の加工素材を有利に加工することが可能になる。
【００１３】
本発明の解決手段は、当業者にとって有利と見做される、例えば手動式並びに機械式に駆動可能な丸鋸刃、引き回し鋸刃等のような多種多様の鋸刃において、種々の適用分野及び加工素材のために適用することができる。しかし本発明の解決手段は、工作機械又は手持ち式工作盤で使用される高負荷鋸刃、殊に金属加工用鋸刃において適用されるのが特に有利である。
【００１４】
その他の利点は、以下の図面の詳細な説明に基づいて明らかである。図面には本発明の１実施例が図示されている。図面、詳細な説明及び請求の範囲は、多数の特徴的構成手段を組合せた形で含んでいる。当業者は、これらの構成手段を有利な形式で任意に個別化して、更なる組合せに纏めることもできる。
【００１５】
発明を実施するための最良の形態：
次に図面に基づいて本発明の実施例を詳説する。
【００１６】
図１には、ケーシング１０内に電動モータ（図示せず）を内蔵した手動操作式引き回し鋸１２が示されている。金属用の鋸刃は工具ホルダー３０を介して電動モータと駆動接続されており、かつ案内ローラ２８を有する案内ユニット２６を介して案内されている。鋸刃の一端にはシャンク３２（図２）が一体成形されており、該シャンクを介して鋸刃は工具ホルダー３０内に緊締可能である。鋸断動作中、鋸刃は加工方向に対して垂直なストローク運動をもって往復動させられる。鋸刃はその鋸刃背３４でもって加工方向とは逆方向で案内ローラ２８に支持されており、かつ加工方向に対して直角な横方向で前記案内ローラ２８の溝内を案内される。
【００１７】
鋸刃は、第１基本歯ピッチ１６と第２基本歯ピッチ１８とを有する歯列１４を備え、この場合第１基本歯ピッチ１６は第２基本歯ピッチ１８よりも小である（図３）。両基本歯ピッチ１６，１８は絶えず交互に直接相前後して配置されている。歯列１４は２種の歯形を有し、しかも屋根形歯２０の歯形と標準歯２２の歯形とを有している。
【００１８】
屋根形歯２０は支持歯として構成されており、かつ切削運動方向２４に対して常に、大きい方の基本歯ピッチ１８の後方に配置されている。アグレッシブに切削する標準歯２２は常に、小さい方の基本歯ピッチ１６の後方に続く。
【００１９】
周期的に２つの歯２０，２２から成る単位が目振りによって切削運動方向２４に対して横方向に偏位されており、しかも互いに逆向きに偏位された２つの単位の後方には、偏位されない１つの単位が続く（図４）。鋸刃を切削運動方向２４とは逆向きに見れば、屋根形歯２０が各単位毎に標準歯２２の手前に配置されている（図３及び図４）。
【００２０】
第１基本歯ピッチ１６と第２基本歯ピッチ１８の平均値は、１．８１ｍｍの標準歯ピッチに等しい。大きい方の基本歯ピッチ１８は１．８１ｍｍよりも１０％大に構成されており、小さい方の基本歯ピッチ１６は１．８１ｍｍよりも１０％小に構成されている。全ての歯２０，２２は５゜のすくい角αを有している。標準歯２２は３５゜の逃げ角βを有している。屋根形歯２０は、切削運動方向２４とは逆向きに見て２３゜の前方逃げ角γと３３゜の後方逃げ角δを有している。また当業者にとって有利と見做される別の角度値も可能であり、該角度値は、被加工材料に関連して、或いは別の基本歯ピッチとの組合せにおいて選択可能である。
【図面の簡単な説明】
【図１】  鋸刃を装備した手動操作される電動式の引き回し鋸の概略図である。
【図２】  組外した状態で示した図１の鋸刃の側面図である。
【図３】  図２に示した破線円ＩＩＩの鋸刃区分の拡大図である。
【図４】  図２に示した鋸刃歯列の平面図である。
【符号の説明】
１０    ケーシング、１２    工作盤、１４    歯列、１６    第１基本歯ピッチ、１８    第２基本歯ピッチ、２０    屋根形歯、２２    標準歯、２４    切削運動方向、２６    案内ユニット、２８    案内ローラ、３０    工具ホルダー、３２    シャンク、３４    鋸刃背、α    すくい角、β    標準歯の逃げ角、γ    屋根形歯の前方逃げ角、δ    屋根形歯の後方逃げ角
【図１】
0004503921.tif 000002
【図２】
0004503921.tif 000003
【図３】
0004503921.tif 000004
【図４】
0004503921.tif 000005